(57)【要約】【課題】車両を駐車場清算機に必ずしも近づけなくても、駐車料金の精算を可能にするＩＤ発信装置を提供すること。【解決手段】ＩＤ発信装置は、記憶ユニットと、ＩＤ発信ユニットとを備える。記憶ユニットは、駐車場清算機のＩＤを記憶する。ＩＤ発信ユニットは、前記ＩＤを指定して駐車料金の精算を行う機能を有する端末に対し、前記記憶ユニットに記憶された前記ＩＤを表す音波又は電波を発信する。ＩＤ発信ユニットは、例えば、前記端末を搭載した車両に対し前記音波又は前記電波を発信する。【選択図】 図１
2019179399.tif 000002
【特許請求の範囲】
【請求項１】
ＩＤ発信装置であって、
駐車場清算機のＩＤを記憶するように構成された記憶ユニットと、
前記ＩＤを指定して駐車料金の精算を行う機能を有する端末に対し、前記記憶ユニットに記憶された前記ＩＤを表す音波又は電波を発信するように構成されたＩＤ発信ユニットと、
を備えるＩＤ発信装置。
【請求項２】
請求項１に記載のＩＤ発信装置であって、
前記ＩＤ発信ユニットは、前記端末を搭載した車両に対し前記音波又は前記電波を発信するように構成されたＩＤ発信装置。
【請求項３】
請求項１又は２に記載のＩＤ発信装置であって、
前記ＩＤ発信ユニットは、上下方向における前記音波又は前記電波の広がりが、水平方向における前記音波又は前記電波の広がりよりも大きくなるように、前記音波又は前記電波を発信するように構成されたＩＤ発信装置。
【請求項４】
請求項３に記載のＩＤ発信装置であって、
前記ＩＤ発信ユニットは、前記音波を発信する複数のスピーカを備え、
前記複数のスピーカは、縦方向に配列されているＩＤ発信装置。
【請求項５】
請求項３に記載のＩＤ発信装置であって、
前記ＩＤ発信ユニットは、前記電波を発信する複数のアンテナを備え、
前記複数のアンテナは、縦方向に配列されているＩＤ発信装置。
【請求項６】
請求項１〜５のいずれか１項に記載のＩＤ発信装置であって、
前記音波又は前記電波の出力を調整する出力調整ユニットをさらに備えるＩＤ発信装置。
【発明の詳細な説明】
【技術分野】
【０００１】
本開示はＩＤ発信装置に関する。
【背景技術】
【０００２】
従来の駐車場清算機において駐車料金の精算を行う手順は以下のとおりである。ドライバは、駐車場清算機に手が届くまで、車両を駐車場清算機に近づける。ドライバは、手を伸ばして駐車カードを駐車場清算機の差込口に差し込む。駐車場清算機は清算金額を算出し、提示する。ドライバは、手を伸ばして硬貨又は紙幣を駐車場清算機の投入口に投入する。このような駐車場清算機は特許文献１に開示されている。
【先行技術文献】
【特許文献】
【０００３】
【特許文献１】特開平０８−１８０２４０号公報
【発明の概要】
【発明が解決しようとする課題】
【０００４】
従来の駐車場清算機においてドライバが駐車料金の精算を行う場合、駐車場清算機にドライバの手が届くまで、車両を駐車場清算機に近づけなければならない。そのとき、駐車場清算機又はその周囲の構成に車両が接触するおそれがある。
【０００５】
本開示は、車両を駐車場清算機に必ずしも近づけなくても、駐車料金の精算を可能にするＩＤ発信装置を提供する。
【課題を解決するための手段】
【０００６】
本開示の一局面は、ＩＤ発信装置であって、駐車場清算機のＩＤを記憶するように構成された記憶ユニットと、前記ＩＤを指定して駐車料金の精算を行う機能を有する端末に対し、前記記憶ユニットに記憶された前記ＩＤを表す音波又は電波を発信するように構成されたＩＤ発信ユニットと、を備えるＩＤ発信装置である。
【０００７】
本開示の一局面であるＩＤ発信装置は、ＩＤを表す音波又は電波を発信する。車両を駐車場清算機に近づけなくても、車両に搭載された端末は音波又は電波を受信することができる。端末は、受信した音波又は電波に含まれるＩＤを指定して駐車料金の精算を行うことができる。そのため、本開示の一局面であるＩＤ発信装置を用いれば、車両が駐車場清算機又はその周囲の構成に接触するリスクを低減できる。
【図面の簡単な説明】
【０００８】
【図１】駐車料金決済システム１の構成を表すブロック図である。
【図２】ＩＤ発信装置３及び駐車場清算機５の外観を表す斜視図である。
【図３】制御部１１の機能的構成を表すブロック図である。
【図４】ＩＤ発信装置３の構成を表す斜視図である。
【図５】上下方向及び水平方向における総合音波３５の広がりを表す説明図である。
【図６】水平方向における総合音波３５の広がりを表す説明図である。
【図７】ＩＤ発信装置３が実行する処理を表すフローチャートである。
【図８】スマートフォン７が実行する処理を表すフローチャートである。
【図９】サーバ９が実行する処理を表すフローチャートである。
【図１０】駐車場清算機５が実行する処理を表すフローチャートである。
【図１１】総合音波３５をスマートフォン７が受信するときのＩＤ発信装置３、駐車場清算機５、及び停止車両３７の位置関係を表す平面図である。
【図１２】上下方向及び水平方向における音波８３の広がりを表す説明図である。
【発明を実施するための形態】
【０００９】
本開示の例示的な実施形態を、図面を参照しながら説明する。
＜第１実施形態＞
１．駐車料金決済システム１の構成
駐車料金決済システム１の構成の構成を図１〜図６に基づき説明する。図１に示すように、駐車料金決済システム１は、ＩＤ発信装置３と、駐車場清算機５と、スマートフォン７と、サーバ９と、を備える。
【００１０】
ＩＤ発信装置３は、図２に示すように、駐車場清算機５に取り付けられている。駐車場清算機５は、駐車場の出口付近に設置されている。図１に示すように、ＩＤ発信装置３は、制御部１１と、ＩＤ発信ユニット１３と、入力ユニット１５と、通信ユニット１６と、ディスプレイ１８と、を備える。
【００１１】
制御部１１は、ＣＰＵ１７と、例えば、ＲＡＭ又はＲＯＭ等の半導体メモリ（以下、メモリ１９とする）と、を有するマイクロコンピュータを備える。制御部１１の各機能は、ＣＰＵ１７が非遷移的実体的記録媒体に格納されたプログラムを実行することにより実現される。この例では、メモリ１９が、プログラムを格納した非遷移的実体的記録媒体に該当する。また、このプログラムが実行されることで、プログラムに対応する方法が実行される。なお、制御部１１は、１つのマイクロコンピュータを備えてもよいし、複数のマイクロコンピュータを備えてもよい。メモリ１９には、駐車場清算機５のＩＤが予め記憶されている。メモリ１９は記憶ユニットに対応する。
【００１２】
制御部１１は、図３に示すように、ＩＤ発信制御ユニット２１と、表示制御ユニット２３と、出力調整ユニット２５と、を備える。制御部１１に含まれる各部の機能を実現する手法はソフトウェアに限るものではなく、その一部又は全部の機能は、一つあるいは複数のハードウェアを用いて実現されてもよい。例えば、上記機能がハードウェアである電子回路によって実現される場合、その電子回路は、デジタル回路、又はアナログ回路、あるいはこれらの組合せによって実現されてもよい。
【００１３】
図１に示すように、ＩＤ発信ユニット１３は、複数のスピーカ２７、２９を備える。複数のスピーカ２７、２９は、それぞれ、音波を発信する。図４に示すように、ＩＤ発信ユニット１３において、複数のスピーカ２７、２９は縦方向に配列されている。複数のスピーカ２７、２９は、ＩＤ発信装置３のうち、対向面３０に設けられている。対向面３０は、駐車場の出口に停車する車両（以下では停止車両とする）に対向する面である。
【００１４】
図５に示すように、スピーカ２７は音波３１を発信する。スピーカ２９は、音波３３を発信する。音波３１、３３は、それぞれ、メモリ１９に記憶されたＩＤを表す音波である。音波３１と、音波３３とは、縦方向に並ぶ。そのため、音波３１と、音波３３とを総合した電波（以下では総合音波３５とする）の上下方向における広がりは、水平方向における広がりより大きい。総合音波３５の上下方向における広がりは、例えば、路面から５０ｃｍ以上、１５０ｃｍ以下の範囲である。総合音波３５の少なくとも一部は、停止車両３７の運転席３７Ａに至る。
【００１５】
図６に示すように、総合音波３５の水平方向における広がりは、例えば、停止車両３７における運転席３７Ａの大部分をカバーできる範囲である。
入力ユニット１５は、駐車場の管理者等による入力を受け付ける。出力調整ユニット２５は、入力ユニット１５に対する入力に応じて、音波３１、３３の出力を調整する。通信ユニット１６は、サーバ９との間で通信を行う。ディスプレイ１８は画像を表示する構成である。  
駐車場清算機５は、駐車場の出口付近に設置されている。図１に示すように、駐車場清算機５は、制御部３９と、ディスプレイ４１と、車両検知センサ４３と、ブザー４５と、駐車券処理ユニット４７と、通信ユニット４９と、バー開閉ユニット５１と、紙幣・硬貨処理ユニット５３と、を備える。
【００１６】
制御部３９は、ＣＰＵ５５と、例えば、ＲＡＭ又はＲＯＭ等の半導体メモリ（以下、メモリ５７とする）と、を有するマイクロコンピュータを備える。制御部３９の各機能は、ＣＰＵ５５が非遷移的実体的記録媒体に格納されたプログラムを実行することにより実現される。この例では、メモリ５７が、プログラムを格納した非遷移的実体的記録媒体に該当する。また、このプログラムが実行されることで、プログラムに対応する方法が実行される。
【００１７】
ディスプレイ４１は画像を表示可能な構成である。図２に示すように、ディスプレイ４１は、駐車場清算機５のうち、対向面５９に設けられている。対向面５９は、停止車両３７に対向する面である。
【００１８】
車両検知センサ４３は、駐車場清算機５に接近する車両を検知する。ブザー４５は、出庫中の車両があるときに吹鳴する。駐車券処理ユニット４７は、後述する決済処理を行わない場合、決済に必要な駐車開始日時、駐車開始時刻等の情報を駐車券から読み取る。
【００１９】
通信ユニット４９は、サーバ９との間で通信を行う。バー開閉ユニット５１は、駐車場の出口に設けられたバーの開閉を行う。バーが開の状態のとき、車両は駐車場から出ることができる。バーが閉の状態のとき、車両は駐車場から出ることができない。紙幣・硬貨処理ユニット５３は、後述する決済処理を行わない場合、ユーザが支払う紙幣、硬貨により清算を行う。なお、ユーザは、駐車場を利用する者である。ユーザとして、例えば、車両のドライバ、同乗者等が挙げられる。
【００２０】
スマートフォン７は、駐車場を利用する車両に搭載されている。図１に示すように、スマートフォン７は、制御部６１と、通信ユニット６３と、ＩＤ受信ユニット６５と、読取ユニット６７と、を備える。
【００２１】
制御部６１は、ＣＰＵ６９と、例えば、ＲＡＭ又はＲＯＭ等の半導体メモリ（以下、メモリ７１とする）と、を有するマイクロコンピュータを備える。制御部６１の各機能は、ＣＰＵ６９が非遷移的実体的記録媒体に格納されたプログラムを実行することにより実現される。この例では、メモリ７１が、プログラムを格納した非遷移的実体的記録媒体に該当する。また、このプログラムが実行されることで、プログラムに対応する方法が実行される。
【００２２】
通信ユニット６３は、サーバ９との間で通信を行う。ＩＤ受信ユニット６５は、音波３１、３３を受信する。読取ユニット６７は、駐車券から駐車情報を読み取る。駐車情報とは、駐車場の場所、駐車開始日時、駐車開始時刻等を含む情報である。駐車券は、図示しない発券機が発券する。駐車券には駐車情報が記載されている。
なお、スマートフォン７は、駐車場清算機５のＩＤを指定して駐車料金の精算を行う機能を有する端末に対応する。
【００２３】
サーバ９の設置場所は特に限定されない。サーバ９は、制御部７３と、データベース（ＤＢ）７５と、通信ユニット７７と、を備える。
制御部７３は、ＣＰＵ７９と、例えば、ＲＡＭ又はＲＯＭ等の半導体メモリ（以下、メモリ８１とする）と、を有するマイクロコンピュータを備える。制御部７３の各機能は、ＣＰＵ７９が非遷移的実体的記録媒体に格納されたプログラムを実行することにより実現される。この例では、メモリ８１が、プログラムを格納した非遷移的実体的記録媒体に該当する。また、このプログラムが実行されることで、プログラムに対応する方法が実行される。メモリ８１には、駐車場清算機５のＩＤが予め記憶されている。
【００２４】
ＤＢ７５は、情報を蓄積することができる。通信ユニット７７は、ＩＤ発信装置３、駐車場清算機５及びスマートフォン７との間で通信を行う。
２．ＩＤ発信装置３が実行する処理
ＩＤ発信装置３が所定時間ごとに繰り返し実行する処理を、図７に基づき説明する。ステップ１では、ＩＤ発信制御ユニット２１が、ＩＤ発信ユニット１３を用いて、ＩＤを表す音波を発信する。
【００２５】
ステップ２では、通信ユニット１６が未決済情報を受信したか否かを表示制御ユニット２３が判断する。未決済情報は、後述するステップ２８においてサーバ９が発信する情報である。未決済情報を受信した場合、本処理はステップ３に進み、未決済情報を受信していない場合、本処理はステップ４に進む。
【００２６】
ステップ３では、表示制御ユニット２３が未決済情報をディスプレイ１８に表示する。
ステップ４では、通信ユニット１６が決済情報を受信したか否かを表示制御ユニット２３が判断する。決済情報は、後述するステップ２７においてサーバ９が発信する情報である。決済情報を受信した場合、本処理はステップ５に進み、決済情報を受信していない場合、本処理は終了する。
【００２７】
ステップ５では、表示制御ユニット２３が決済情報をディスプレイ１８に表示する。
３．スマートフォン７が実行する処理
スマートフォン７が所定時間ごとに繰り返し実行する処理を図８に基づき説明する。ステップ１１では、スマートフォン７が駐車券から駐車情報を読み取ったか否かを制御部６１が判断する。なお、ユーザが読取ユニット６７を駐車券に接近させたとき、読取ユニット６７は、駐車券から駐車情報を読み取る。スマートフォン７が駐車券から駐車情報を読み取った場合、本処理はステップ１２に進む。スマートフォン７が駐車券から駐車情報を読み取っていない場合、本処理は終了する。
【００２８】
ステップ１２では、制御部１１が、通信ユニット１６を用い、駐車情報とユーザ情報とを発信する。発信する駐車情報は、前記ステップ１１で読み取ったと判断した駐車情報である。ユーザ情報とは、ユーザを識別するための情報である。スマートフォン７は、予めユーザ情報をメモリ７１に記憶している。
【００２９】
ステップ１３では、ＩＤを表す音波をＩＤ受信ユニット６５が受信したか否かを制御部６１が判断する。ＩＤを表す音波は、ＩＤ発信装置３が前記ステップ１で発信したものである。ＩＤを表す音波をＩＤ受信ユニット６５が受信した場合、本処理はステップ１４に進む。ＩＤを表す音波をＩＤ受信ユニット６５が受信していない場合、本処理はステップ１３の前に戻る。
【００３０】
ステップ１４では、制御部６１が、通信ユニット６３を用い、ＩＤとユーザ情報とを発信する。発信するＩＤは、前記ステップ１３で受信したと判断した音波により表されるＩＤである。
４．サーバ９が実行する処理
サーバ９が所定時間ごとに繰り返し実行する処理を図９に基づき説明する。ステップ２１では、通信ユニット７７が駐車情報及びユーザ情報を受信したか否かを制御部７３が判断する。駐車情報及びユーザ情報は、スマートフォン７が前記ステップ１２で発信したものである。通信ユニット７７が駐車情報及びユーザ情報を受信したと判断した場合、本処理はステップ２２に進み、受信していないと判断した場合、本処理は終了する。
【００３１】
ステップ２２では、前記ステップ２１で受信したと判断した駐車情報及びユーザ情報をＤＢ７５に蓄積する。
ステップ２３では、通信ユニット７７がＩＤ及びユーザ情報を受信したか否かを制御部７３が判断する。ＩＤ及びユーザ情報は、スマートフォン７が前記ステップ１４で発信したものである。通信ユニット７７がＩＤ及びユーザ情報を受信したと判断した場合、本処理はステップ２４に進み、受信していないと判断した場合、本処理はステップ２３の前に戻る。
【００３２】
ステップ２４では、制御部７３は、メモリ８１に予め記憶されているＩＤと、前記ステップ２３で受信したと判断したＩＤとを照合する。また、制御部７３は、前記ステップ２１で受信したと判断したユーザ情報と、前記ステップ２３で受信したと判断したユーザ情報とを照合する。
【００３３】
ステップ２５では、決済実施条件を充足するか否かを制御部７３が判断する。決済実施条件とは、（ａ）メモリ８１に予め記憶されているＩＤと、前記ステップ２３で受信したと判断したＩＤとが一致し、且つ、（ｂ）前記ステップ２１で受信したと判断したユーザ情報と、前記ステップ２３で受信したと判断したユーザ情報とが一致するという条件である。決済実施条件を充足すると判断した場合、本処理はステップ２６に進み、決済実施条件を充足しないと判断した場合、本処理はステップ２８に進む。
【００３４】
ステップ２６では、制御部７３が駐車料金の決済を行う。決済における駐車料金は、前記ステップ２１で受信したと判断した駐車情報から、予め設定された基準により決まる金額である。駐車料金の支払者は、前記ステップ２１及び前記ステップ２３で受信したと判断したユーザ情報により特定されるユーザである。
【００３５】
ステップ２７では、制御部７３が、通信ユニット７７を用いて決済情報を発信する。
ステップ２８では、制御部７３が、通信ユニット７７を用いて未決済情報を発信する。
５．駐車場清算機５が実行する処理
駐車場清算機５が所定時間ごとに繰り返し実行する処理を図１０に基づき説明する。ステップ３１では、通信ユニット４９が決済情報を受信したか否かを制御部３９が判断する。決済情報は、サーバ９が前記ステップ２７において発信する情報である。通信ユニット４９が決済情報を受信したと判断した場合、本処理はステップ３２に進み、受信していないと判断した場合、本処理はステップ３４に進む。
【００３６】
ステップ３２では、制御部３９が決済情報をディスプレイ４１に表示する。
ステップ３３では、制御部３９が、バー開閉ユニット５１を用いてバーを開ける。
ステップ３４では、通信ユニット４９が未決済情報を受信したか否かを制御部３９が判断する。未決済情報は、サーバ９が前記ステップ２８において発信する情報である。通信ユニット４９が未決済情報を受信したと判断した場合、本処理はステップ３５に進み、受信していないと判断した場合、本処理は終了する。
【００３７】
ステップ３５では、制御部３９が未決済情報をディスプレイ４１に表示する。
６．ＩＤ発信装置３が奏する効果
（１Ａ）ＩＤ発信装置３は、ＩＤを表す総合音波３５を発信する。図１１に示すように、停止車両３７をＩＤ発信装置３及び駐車場清算機５に近づけなくても、停止車両３７に搭載されたスマートフォン７は総合音波３５を受信することができる。スマートフォン７は、上述した処理により、受信した総合音波３５に含まれるＩＤを指定して駐車料金の精算を行うことができる。そのため、ＩＤ発信装置３を用いれば、停止車両３７が駐車場清算機５に接触するリスクを低減できる。
【００３８】
（１Ｂ）ＩＤ発信装置３は、スマートフォン７を搭載した停止車両３７に対し総合音波３５を発信する。そのため、スマートフォン７によって総合音波３５を受信することができる。そのことにより、駐車料金の精算を一層容易に行うことができる。
【００３９】
（１Ｃ）ＩＤ発信ユニット１３は、上下方向における総合音波３５の広がりが、水平方向における総合音波３５の広がりよりも大きくなるように、総合音波３５を発信する。そのため、停止車両３７の車種によって運転席３７Ａの高さが変化しても、運転席３７Ａに搭載されたスマートフォン７に総合音波３５を到達させることができる。
【００４０】
また、水平方向における総合音波３５の広がりが小さいので、停止車両３７以外の車両に総合音波３５が到達することを抑制できる。
（１Ｄ）ＩＤ発信ユニット１３は、縦方向に配列された複数のスピーカ２７、２９を備える。そのことにより、上下方向における総合音波３５の広がりを、水平方向における総合音波３５の広がりよりも大きくすることができる。
【００４１】
（１Ｅ）ＩＤ発信装置３は、音波３１、３３の出力を調整することができる。そのため、本来は音波が届くべきでない車両に音波が届いてしまう事態の発生を抑制できる。また、停止車両３７に音波が届かない事態の発生を抑制できる。
＜他の実施形態＞
以上、本開示の実施形態について説明したが、本開示は上述の実施形態に限定されることなく、種々変形して実施することができる。
【００４２】
（１）ＩＤ発信ユニット１３は、ＩＤを表す電波を発信するものであってもよい。この場合、ＩＤ発信ユニット１３は、電波を発信するアンテナを備える。ＩＤ発信ユニット１３は、例えば、複数のアンテナを備える。複数のアンテナは、例えば、縦方向に配列されている。
【００４３】
上下方向における電波の広がりは、水平方向における電波の広がりよりも大きいことが好ましい。ＩＤ発信ユニット１３が電波を発信する場合でも、前記（１Ａ）〜（１Ｅ）の効果を奏することができる。
【００４４】
（２）ＩＤ発信ユニット１３が備えるスピーカは１個であってもよい。この場合、図１２に示すように、１個のスピーカが発信する音波８３の上下方向における広がりは、水平方向における広がりより大きいことが好ましい。この場合、前記（１Ｃ）の効果を奏することができる。
【００４５】
（３）スマートフォン７の代わりに、他の端末を使用してもよい。端末は、ユーザが携帯可能なものであってもよいし、車両に固定されているものであってもよい。
（４）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００４６】
（５）上述したＩＤ発信装置の他、当該ＩＤ発信装置を構成要素とするシステム、当該ＩＤ発信装置の制御部としてコンピュータを機能させるためのプログラム、このプログラムを記録した半導体メモリ等の非遷移的実態的記録媒体、駐車料金清算方法等、種々の形態で本開示を実現することもできる。
【符号の説明】
【００４７】
１…駐車料金決済システム、３…ＩＤ発信装置、５…駐車場清算機、７…スマートフォン、９…サーバ、１１、３９、６１、７３…制御部、１３…ＩＤ発信ユニット、１５…入力ユニット、１６、４９、６３、７７…通信ユニット、１７、５５、６９、７９…ＣＰＵ、１８…ディスプレイ、１９、５７、７１、８１…メモリ、２１…ＩＤ発信制御ユニット、２３…表示制御ユニット、２５…出力調整ユニット、２７、２９…スピーカ、３０、５９…対向面、３１、３３、８３…音波、３５…総合音波、３７…停止車両、３７Ａ…運転席、４１…ディスプレイ、４３…車両検知センサ、４５…ブザー、４７…駐車券処理ユニット、５１…バー開閉ユニット、５３…紙幣・硬貨処理ユニット、６５…ＩＤ受信ユニット、６７…読取ユニット、７５…ＤＢ
【図１】
2019179399.tif 000003
【図２】
2019179399.tif 000004
【図３】
2019179399.tif 000005
【図４】
2019179399.tif 000006
【図５】
2019179399.tif 000007
【図６】
2019179399.tif 000008
【図７】
2019179399.tif 000009
【図８】
2019179399.tif 000010
【図９】
2019179399.tif 000011
【図１０】
2019179399.tif 000012
【図１１】
2019179399.tif 000013
【図１２】
2019179399.tif 000014